(57)【要約】【課題】巻芯部を細くして特性を向上させつつ、導線の巻崩れを防止することが可能なコモンモードチョークコイルの提供。【解決手段】コモンモードチョークコイル１は、巻芯部３と一対の鍔部４、５とを有するコア２と、一対の導線１１、１２とを備える。巻芯部３の軸心Ａが延びる方向をｘ軸方向とし、ｘ軸方向に直交する所定の方向をｙ軸方向とすると、鍔部４、５はｙ軸方向に略直交する側面４３、４４、５３、５４を有する。コア２は、導線１１、１２が鍔部４から巻芯部３に巻回されて鍔部５に向かう際の、巻芯部３への導入部と巻芯部３からの導出部とを規定する部分である掛止部７、８を備える。掛止部７、８は、ｘ軸方向に関して鍔部４、５の内側において各鍔部に隣接すると共に、ｙ軸方向に関して鍔部４、５の側面よりも軸心Ａに近い位置に設けられている。巻芯部３は、掛止部７、８を基準として軸心Ａへ向かう方向へ凹む凹部３ａ、３ｂとして形成されている。【選択図】  図２
2008066570.tif 000002
【特許請求の範囲】
【請求項１】
柱状の巻芯部と該巻芯部の両端に設けられた一対の鍔部とを有するコアと、該巻芯部の表面に巻回された一対の導線とを備えるコモンモードチョークコイルであって、
該巻芯部の軸心が延びる方向を第一方向とし、該第一方向に直交する所定の方向を第二方向とすると、該一対の鍔部は該第二方向に略直交する側面を有し、
該コアは、該一対の導線が一方の鍔部から該巻芯部に巻回されて他方の鍔部に向かう際の、該巻芯部への導入部と該巻芯部からの導出部とを規定する部分である掛止部を備え、
該掛止部は、該第一方向に関して該一対の鍔部の内側において各鍔部に隣接すると共に、該第二方向に関して該鍔部の該側面よりも該軸心に近い位置に設けられ、
該巻芯部は、該掛止部を基準として該軸心へ向かう方向へ凹む凹部として形成されていることを特徴とするコモンモードチョークコイル。
【請求項２】
該掛止部は、該巻芯部と一方の鍔部との連結部分に２箇所、及び該巻芯部と他方の鍔部との連結部分に２箇所の合計４箇所に設けられることを特徴とする請求項１記載のコモンモードチョークコイル。
【請求項３】
該掛止部は、該第一方向及び該第二方向に関する該コアの中心に対して点対称となる形状に形成されていることを特徴とする請求項１又は２記載のコモンモードチョークコイル。
【請求項４】
該掛止部は、該一対の導線に当接することにより該一対の導線が該巻芯部の方向へずれることを防止する凸部を備えることを特徴とする請求項１から３の何れか一記載のコモンモードチョークコイル。
【請求項５】
該一対の導線は、一方の導線と他方の導線とが一定の間隔を維持した状態で、該巻芯部の表面に巻回されていることを特徴とする請求項１から４の何れか一記載のコモンモードチョークコイル。
【請求項６】
該第一方向及び該第二方向の両方に直交する方向を第三方向とし、
該第三方向における該一対の鍔部の中心に対して、該巻芯部の軸心がずれた位置にあることを特徴とする請求項１から５の何れか一記載のコモンモードチョークコイル。
【発明の詳細な説明】
【技術分野】
【０００１】
本発明は、コモンモードチョークコイルに関する。
【背景技術】
【０００２】
近年、パソコン等における高速インターフェイスであるＵＳＢ２．０規格や、デジタルビデオ等のデジタル映像・音声入出力インターフェイスであるＨＤＭＩ規格では、高周波の伝送信号が用いられている。この伝送信号の高周波化に伴って、位相が１８０°異なる信号を二本の導線に流し、ノイズの影響を受け難くて信号のエラーが少ない差動伝送方式による信号の伝送が行われている。
【０００３】
しかし現実には、例えば二本の導線の通信特性の違いが原因となってコモンモードのノイズ電流が発生し、導線をアンテナとしてノイズを放射する場合があり、このノイズを低減するコイル部品として、例えば特許文献１に示されるコモンモードチョークコイルが開示されている。このコモンモードチョークコイルは、主にフェライト製のコアと一対の導線とから構成される。コアは、導線が巻回される巻芯部とその両端に設けられた一対の鍔部とを備えている。
【特許文献１】特開２００３−１５１８３９号公報
【発明の開示】
【発明が解決しようとする課題】
【０００４】
しかしながら、特許文献１に示されるコモンモードチョークコイルでは、コアの巻芯部が太いため導線のライン長が長くなってしまう。よって、線間容量を減少させることができず、信号通過帯域を高周波側へ上げることができなかった。また、巻芯部の断面積が大きいため、磁気抵抗が低く、共振点（コモンモードインピーダンス）を高周波側にのばすことができなかった。更には、鍔部から引出された導線の巻芯部への導入部及び巻芯部からの導出部と、巻芯部の導線巻回部分とが同じ面に位置するため、巻崩れが発生する場合があった。
【０００５】
そこで本発明は、巻芯部を細くして特性を向上させると共に、導線の巻崩れを防止することが可能なコモンモードチョークコイルを提供することを目的とする。
【課題を解決するための手段】
【０００６】
上記目的を達成するために、本発明は、柱状の巻芯部と該巻芯部の両端に設けられた一対の鍔部とを有するコアと、該巻芯部の表面に巻回された一対の導線とを備えるコモンモードチョークコイルを提供している。該コモンモードチョークコイルにおいて、該巻芯部の軸心が延びる方向を第一方向とし、該第一方向に直交する所定の方向を第二方向とすると、該一対の鍔部は該第二方向に略直交する側面を有する。該コアは、該一対の導線が一方の鍔部から該巻芯部に巻回されて他方の鍔部に向かう際の、該巻芯部への導入部と該巻芯部からの導出部とを規定する部分である掛止部を備える。該掛止部は、該第一方向に関して該一対の鍔部の内側において各鍔部に隣接すると共に、該第二方向に関して該鍔部の該側面よりも該軸心に近い位置に設けられている。該巻芯部は、該掛止部を基準として該軸心へ向かう方向へ凹む凹部として形成されている。
【０００７】
このような構成によると、巻芯部が凹部として形成されているので巻芯部を細く形成することができる。しかも、掛止部が設けられているため、導線の巻崩れが発生しない。更に、特性上の効果として、巻線の長さが短くなるので、線間容量を減少させつつ信号通過帯域を高周波側へ上げることができる。また、巻芯部が細く形成されているため断面積が減少し、従ってコモンモードインピーダンスをより高周波側にのばすことができる。
【０００８】
また、該掛止部は、該巻芯部と一方の鍔部との連結部分に２箇所、及び該巻芯部と他方の鍔部との連結部分に２箇所の合計４箇所に設けられることが好ましい。このような構成によると、コアの方向を気にすることなく、導線を巻回することができる。
【０００９】
また、該掛止部は、該第一方向及び該第二方向に関する該コアの中心に対して点対称となる形状に形成されていることが好ましい。このような構成によると、コアの方向を気にすることなく、導線を巻回することができる。また、掛止部が対角線上の２箇所のみに設けられる構成とすれば、不要な掛止部が存在しないので、導線を巻回しやすい。
【００１０】
また、該掛止部は、該一対の導線に当接することにより該一対の導線が該巻芯部の方向へずれることを防止する凸部を備えることが好ましい。このような構成によると、簡単な構造により確実に導線を掛止することができる。また凸部が４箇所に形成される場合、それぞれの凸部が巻回部の巻回位置を規制し、巻崩れを防止することができる。
【００１１】
また、該一対の導線は、一方の導線と他方の導線とが一定の間隔を維持した状態で、該巻芯部の表面に巻回されていることが好ましい。ここで一定の間隔とは、一方の導線と他方の導線とが離間している場合及び密着している場合の双方を含む。このような構成によると、ライン間結合を高めてディファレンシャルモードのインダクタンスをより低下させることができる。
【００１２】
また、該第一方向及び該第二方向の両方に直交する方向を第三方向とし、該第三方向における該一対の鍔部の中心に対して、該巻芯部の軸心がずれた位置にあることが好ましい。このような構成によると、第三方向に略直交する巻芯部の何れかの面をより凹ませたことになる。つまり、巻芯部の太さを小さくすることができる。従って、側面の凹部を過度に深くする必要がなくなるため、第二方向（幅方向）における強度を確保することができる。
【発明の効果】
【００１３】
本発明のコモンモードチョークコイルによれば、高周波信号（例えば８ＧＨｚ）に対応したコモンモードチョークコイルを提供することが可能である。
【発明を実施するための最良の形態】
【００１４】
本発明の実施の形態によるコモンモードチョークコイルについて図１から図４に基づき説明する。図１に示されるコモンモードチョークコイル１は、ドラム型形状のコア２と、第一導線１１及び第二導線１２と、一対の第一電極部１８及び一対の第二電極部１９（図２、図３）と、板コア１０とから主に構成されている。なお、図２から図４では、板コア１０が取り付けられていない状態が図示されている。
【００１５】
コア２は、柱状の巻芯部３と、巻芯部３の両端に設けられた第一鍔部４及び第二鍔部５と、第一掛止部６〜第四掛止部９（図２、図３）とを備える。コア２は磁性体により形成されている。
【００１６】
ここで、図１に示されるように、巻芯部３の軸心Ａ（図２〜図４）が延びる方向であって第一導線１１及び第二導線１２の巻回方向をｘ軸方向（第一方向）とする。また、巻芯部３の幅方向であって後述の第一電極１８Ａと第二電極１８Ｂとを互いに結ぶ方向をｙ軸方向（第二方向）とする。更に、巻芯部３の厚さ方向であってｘ軸方向及びｙ軸方向の両方に直交する方向をｚ軸方向（第三方向）と定義する。
【００１７】
巻芯部３は、図２から図４に示されるように、ｚ軸方向に略垂直な面である下面３１と、下面３１の反対面である上面３２と、下面３１と上面３２との間に設けられたｙ軸方向に略垂直な面である第一側面３３及び第二側面３４とから構成されている。また下面３１と上面３２とは、互いに略平行であり、第一側面３３と第二側面３４とも互いに略平行である。よって巻芯部３のｙ−ｚ平面断面は、略長方形となる。
【００１８】
第一鍔部４は、図１、図２、図４に示されるように、基部４Ａと、基部４Ａから下方（−ｚ方向）に突出する一対の脚部４Ｂ、４Ｃと、上方（＋ｚ方向）に突出する肩部４Ｄとを備えている。したがって第一鍔部４のｙ−ｚ平面断面は略逆さまの「凹」字状となっている。また図１から図４に示されるように、第一鍔部４は、ｘ軸方向に直交する正面４１と、ｚ軸方向に直交する上面４２と、ｙ軸方向に直交する第一側面４３及び第二側面４４とを有する。正面４１は、基部４Ａ、一対の脚部４Ｂ、４Ｃ、及び肩部４Ｄに跨って形成されている。上面４２は、肩部４Ｄの上面においてｙ軸方向に細長く形成されている（図３）。上面４２は、後述の上面５２と共に板コア１０（図１）と接合される。また、第一側面４３は基部４Ａ、脚部４Ｂ、及び肩部４Ｄに跨って形成され、第二側面４４は基部４Ａ、脚部４Ｃ、及び肩部４Ｄに跨って形成されている。脚部４Ｂ、４Ｃはそれぞれ略正方形状の底面４５、４６を備える（図２）。底面４５の４つの角部のうち最も巻芯部３に近い角部には、＋ｙ方向に向かって傾斜する傾斜部４５ａが形成されている。つまり、傾斜部４５ａは当該角部を斜めに切り落としたような形状に形成されている。
【００１９】
第二鍔部５は、コア２のｘ軸方向及びｙ軸方向における中心に関して、第一鍔部４と点対称な構成を有する。第一鍔部４と同様に、第二鍔部５は、基部５Ａと、一対の脚部５Ｂ、５Ｃと、肩部５Ｄとを備えている。第二鍔部５は、ｘ軸方向に直交する正面５１と、ｚ軸方向に直交する上面５２（図３）と、ｙ軸方向に直交する第一側面５３及び第二側面５４とを有する。脚部５Ｂ、５Ｃはそれぞれ底面５５、５６（図２）を備える。また、底面４５の傾斜部４５ａと同様に、底面５６の４つの角部のうち最も巻芯部３に近い角部には、−ｙ方向に向かって傾斜する傾斜部５６ａが形成されている。
【００２０】
第一掛止部６〜第四掛止部９は、図１から図４に示されるように、ｘ軸方向に関して一対の鍔部（第一鍔部４及び第二鍔部５）の内側において各鍔部に隣接する位置に設けられている。すなわち、第一掛止部６及び第二掛止部７は第一鍔部４の＋ｘ方向において第一鍔部４に隣接する位置にあり、第三掛止部８及び第四掛止部９は第二鍔部５の−ｘ方向において第二鍔部５に隣接する位置にある。第一掛止部６〜第四掛止部９は、それぞれｚ軸方向に延びる細長い面として形成されている（図１、図４）。
【００２１】
また、第一掛止部６〜第四掛止部９は、ｙ軸方向に関して言うと、第一鍔部４及び第二鍔部５の側面よりも軸心Ａに近い位置に設けられている。すなわち、図２、図３に示されるように、第一掛止部６は、ｙ軸方向に関して第一鍔部４の第一側面４３よりも軸心Ａに近い位置にあり、第二掛止部７は、ｙ軸方向に関して第一鍔部４の第二側面４４よりも軸心Ａに近い位置にある。同様に、第三掛止部８は、ｙ軸方向に関して第二鍔部５の第一側面５３よりも軸心Ａに近い位置にあり、第四掛止部９は、ｙ軸方向に関して第二鍔部５の第二側面５４よりも軸心Ａに近い位置にある。このような構成において、第一掛止部６と第一鍔部４の第一側面４３との間には角部６Ａが形成され、第二掛止部７と第一鍔部４の第二側面４４との間には角部７Ａが形成されている。同様に、第三掛止部８と第二鍔部５の第一側面５３との間には角部８Ａが形成され、第四掛止部９と第二鍔部５の第二側面５４との間には角部９Ａが形成されている。
【００２２】
巻芯部３は、図２、図３に示されるように、ｘｙ平面で見た場合に、第一掛止部６〜第四掛止部９を基準として軸心Ａへ向かう方向へ凹む凹部３a、３ｂとして形成されている。より具体的には、巻芯部３の第一側面３３は、第一掛止部６及び第三掛止部８よりも軸心Ａに近い位置にあり、巻芯部３の第二側面３４は、第二掛止部７及び第四掛止部９よりも軸心Ａに近い位置にある。以上より、第一掛止部６〜第四掛止部９は、ｙ軸方向に関して、鍔部４、５の側面４３、４４、５３、５４よりも軸心Ａに近く、巻芯部３の側面３３、３４よりも軸心Ａから遠い。
【００２３】
第一掛止部６〜第四掛止部９と巻芯部３との間には、それぞれ凹部規定面６１、７１、８１、９１が設けられている。巻芯部３の第一側面３３と凹部規定面６１と凹部規定面８１とにより凹部３ａが規定される。第一側面３３と凹部規定面６１との境界には角部３３Ａが形成されており、第一側面３３と凹部規定面８１との境界には角部３３Ｂが形成されている。同様に、巻芯部３の第二側面３４と凹部規定面７１と凹部規定面９１とにより凹部３ｂが規定される。第二側面３４と凹部規定面９１との境界には角部３４Ａが形成され、第二側面３４と凹部規定面７１との境界には角部３４Ｂが形成されている。
【００２４】
図４に示されるように、コア２を側面図でみると、巻芯部３及び第一掛止部６〜第四掛止部９は等しい高さ（ｚ軸方向の長さ）を有している。一方、第一鍔部４の肩部４Ｄと第二鍔部５の肩部５Ｄとは、巻芯部３の上面３２及び第一掛止部６〜第四掛止部９の上面よりも上方（＋ｚ方向）に突出している。肩部４Ｄと肩部５Ｄとに挟まれた空間が上部凹部３ｃとして規定される。また、第一鍔部４の脚部４Ｂ、４Ｃと第二鍔部５の脚部５Ｂ、５Ｃとは、巻芯部３の下面３１及び第一掛止部６〜第四掛止部９の下面よりも下方（−ｚ方向）に突出している。脚部４Ｂ、４Ｃと脚部５Ｂ、５Ｃとに挟まれた空間が底部凹部３ｄとして規定される。上部凹部３ｃよりも底部凹部３ｄの方が深く形成されているため、ｚ軸方向における第一鍔部４及び第二鍔部５の中心に対して、巻芯部３の軸心Ａが上方（＋ｚ方向）にずれた構造となっている（いわゆるスタンドオフ構造）。
【００２５】
また図１に示される板コア１０は、略直方体状のフェライト製コアである。板コア１０は、コア２の上面４２及び上面５２（図３）と樹脂接着剤等により接合される。コア２と板コア１０とによって閉磁路が構成されるため、コモンモードチョークコイル１の特性を向上させることができる。
【００２６】
図１及び図２に示されるように、一対の第一電極部１８は、ｙ軸方向に並んで脚部４Ｂ側に第一電極１８Ａ、脚部４Ｃ側に第二電極１８Ｂを有している。第一電極１８Ａは脚部４Ｂの底面４５と正面４１とに跨って、第二電極１８Ｂは脚部４Ｃの底面４６と正面４１とに跨って、何れもメッキにより形成されている。また底面４５において、第一電極１８Ａの一部は、傾斜部４５ａ内にも形成されている。第一電極１８Ａの底面４５部分が第一導線１１との継線部分となり、第二電極１８Ｂの底面４６部分が第二導線１２との継線部分となる。
【００２７】
図２に示されるように、一対の第一電極部１８と同様に、一対の第二電極部１９は、ｙ軸方向に並んで脚部５Ｂ側に第三電極１９Ａ、脚部５Ｃ側に第四電極１９Ｂを有している。第三電極１９Ａは脚部５Ｂの底面５５と正面５１とに跨って、第四電極１９Ｂは脚部５Ｃの底面５６と正面５１とに跨って、何れもメッキにより形成されている。また底面５６において、第四電極１９Ｂの一部は、傾斜部５６ａ内にも形成されている。第三電極１９Ａの底面５５部分が第一導線１１との継線部分となり、第四電極１９Ｂの底面５６部分が第二導線１２との継線部分となる。
【００２８】
次に、第一導線１１及び第二導線１２の巻回構成について説明する。図２に示されるように、第一導線１１はその一端１１Ａが第一電極１８Ａに継線され、第二導線１２はその一端１２Ａが第二電極１８Ｂに継線される。継線には熱圧着等の方法が用いられる。第一導線１１、第二導線１２はそれぞれ継線部分から掛止部７へ向かって引き出され、互いに密着した状態で掛止部７の下端において位置決めされる。より具体的には、第二導線１２が角部７Ａに当接して位置決めされ、第一導線１１は第二導線１２に密着することにより位置決めされる。なお第一導線１１は、継線部分から傾斜部４５ａを通って掛止部７へ引き出される。
【００２９】
第一導線１１、第二導線１２は、掛止部７に沿って、コア２の下面（図２）から上面（図３）へ延出される。更に図３に示されるように、コア２の上面を通って角部３３Ａに向かうように配線され、角部３３Ａの上端に掛止されて位置決めされる。より具体的には、第二導線１２が角部３３Ａの上端に当接して位置決めされ、第一導線１１は第二導線１２に密着することにより位置決めされる。第一導線１１、第二導線１２は、このようにして位置決めされた状態で、巻芯部３に巻回し始められる。
【００３０】
本実施の形態では、第一導線１１と第二導線１２とは密着した状態で巻芯部３に巻回されている。もちろん第一導線１１及び第二導線１２はそれぞれ絶縁のため被覆されているので、芯線どうしはわずかに離間しつつ一定の間隔を維持した状態で巻芯部３に巻回されていることになる。一方、隣接するターン（一巻き）どうしは離間しており、一定の離間間隔で巻回されている。
【００３１】
巻芯部３に所定の回数巻回された第一導線１１、第二導線１２は角部３４Ａの上端に当接して位置決めされ、コア２の上面（図３）を通って掛止部８に向かって配線される。第一導線１１、第二導線１２は、掛止部８に沿ってコア２の上面（図３）から下面（図２）へ延出され、掛止部８に掛止されて位置決めされる。より具体的には、第一導線１１は角部８Ａの下端に当接して位置決めされ、第二導線１２は第一導線１１に密着することにより位置決めされる。掛止部８の下端（図４）において、第一導線１１及び第二導線１２は再び離間する。第一導線１１はその他端１１Ｂが第三電極１９Ａに継線され、第二導線１２はその他端１２Ｂが第四電極１９Ｂに継線される。
【００３２】
以上のように、第一掛止部６〜第四掛止部９は、第一導線１１及び第二導線１２が一方の鍔部（本実施の形態では第一鍔部４）から巻芯部３に巻回されて他方の鍔部（本実施の形態では第二鍔部５）に向かう際の、巻芯部３への導入部と巻芯部３からの導出部とを規定する部分である。また、第一掛止部６〜第四掛止部９は、第一導線１１及び第二導線１２の巻き始めと巻き終わりとの位置を規定して巻き崩れを防ぐための位置決め部である。更に、第一掛止部６〜第四掛止部９は、第一導線１１及び第二導線１２が鍔部４、５から引き出されて最初に引っ掛かる部分である。なお本実施の形態においては、第一掛止部６〜第四掛止部９のうち第二掛止部７及び第三掛止部８のみが実際に掛止部（位置決め部）として用いられる。
【００３３】
或いは、第一掛止部６〜第四掛止部９は、鍔部４、５及び巻芯部３が画成する角部において、該角部を画成する鍔部４、５の面と該角部を画成する巻芯部３の面との２面から、巻芯部３と等しい厚み（ｚ軸方向長さ）を有して突出する部分である。例えば、第一掛止部６は、鍔部４及び巻芯部３が画成する角部において、該角部を画成する鍔部４の面（ｙｚ平面に平行な面であり、第一掛止部６と隣接かつ略直交する面）と該角部を画成する巻芯部３の面（第一側面３３）との２面から、巻芯部３と等しい厚み（ｚ軸方向長さ）を有して突出する部分である。第二掛止部７〜第四掛止部９についても同様である。
【００３４】
上記説明した実施の形態によるコモンモードチョークコイル１によれば、巻芯部３に凹部３ａ、３ｂが形成されているので巻芯部３を細く形成することができる。しかも、第一掛止部６〜第四掛止部９が設けられているため、導線１１、１２の巻き始めと巻き終わりとの位置を規定して位置決めを行うことができ、巻崩れを防止することが可能である。すなわち、第一掛止部６〜第四掛止部９（実際には、導線１１、１２が掛止されている第二掛止部７及び第三掛止部８）は、導線１１、１２のテンション（張力）が最も加わる部分であるから、もし第一掛止部６〜第四掛止部９を巻芯部３の側面３３、３４と同じ面とすると、導線１１、１２を巻芯部３側にずらす方向に力が作用する。しかし、本実施の形態によるコモンモードチョークコイル１では、第一掛止部６〜第四掛止部９が巻芯部３の側面３３、３４と異なる面として形成されているため、導線１１、１２を確実に掛止することができる。したがって、振動等の外因による導線のずれが生じることを抑制することができる。更に、特性上の効果として、巻線の長さが短くなるので、線間容量を減少させつつ信号通過帯域を高周波側へ上げることができる。また、巻芯部３が細く形成されているため断面積が減少し、従ってコモンモードインピーダンスをより高周波側にのばすことができる。
【００３５】
また、上述した実施の形態では、第一掛止部６〜第四掛止部９は、巻芯部３と第一鍔部４との連結部分に２箇所、及び巻芯部３と第二鍔部５との連結部分に２箇所の合計４箇所に設けられている。このような構成によると、コア２の方向を気にすることなく、導線１１、１２を巻回することができる。すなわち、製造時に、ｘ軸方向の位置関係において、巻芯部３の両端に設けられた一対の鍔部は、何れの鍔部が第一鍔部４となってもよい。よって製造時においてコア２のｘ軸方向について整列させる必要がないため、不要な手間が省略でき、生産性を向上させることができる。
【００３６】
図４に示されるように、ｚ軸方向における第一鍔部４及び第二鍔部５の中心に対して、巻芯部３の軸心Ａが＋ｚ方向にずれた位置にある。すなわち、底部凹部３ｄをより深く凹ませたことになるので、巻芯部３の太さを細くすることができる。従って、側面の凹部３ａ、３ｂを過度に深くする必要がなくなるため、ｙ軸方向（幅方向）における強度を確保することができる。
【００３７】
本発明によるコモンモードチョークコイルは上述した実施の形態に限定されず、特許請求の範囲に記載した範囲で種々の変形や改良が可能である。例えば、上述した実施の形態によるコモンモードチョークコイル１は、略同一形状の第一掛止部６〜第四掛止部９を合計４個備えるが、掛止部の形状や個数はこれに限定されない。
【００３８】
図５（ａ）に示されるコア１０２は、ｘｙ平面で見た場合に対角線上となる位置に２個の掛止部１０７、１０８を備えている。また、もう一方の対角線上となる位置には掛止部が設けられていない。すなわち、掛止部１０７、１０８は、ｘ軸方向及びｙ軸方向に関するコアの中心位置に関して点対称となる位置及び形状に形成されている。また、巻芯部３の側面の凹部１０３ａと凹部１０３ｂとは、ｘ軸方向（軸心方向）に関して互いにずれた位置に形成されている。
【００３９】
図５（ｂ）に示されるコア２０２は、巻芯部３と第一鍔部４及び第二鍔部５との連結部分に合計４個の掛止部２０６〜２０９を備えている。ここで、ｘ軸方向における掛止部２０７、２０８の長さは、同方向における掛止部２０６、２０９の長さよりも長い。したがって、本変形例における掛止部２０６〜２０９も、ｘ軸方向及びｙ軸方向に関するコアの中心位置に関して点対称となる位置及び形状に形成されていることになる。また、巻芯部３の側面の凹部２０３ａと凹部２０３ｂとは、ｘ軸方向（軸心方向）に関して互いにずれた位置に形成されている。
【００４０】
図５（ｃ）に示されるコア３０２は、ｘｙ平面で見た場合に対角線上となる位置に２個の掛止部３０７、３０８を備えている。もう一方の対角線上には掛止部は設けられておらず、第一鍔部４の側面４３及び第二鍔部５の側面５４がそれぞれ巻芯部３方向へ延長された形状を成している。本変形例における掛止部３０７、３０８も、ｘ軸方向及びｙ軸方向に関するコアの中心位置に関して点対称となる位置及び形状に形成されている。
【００４１】
以上説明した図５（ａ）〜（ｃ）に示される変形例では、何れの例においても、掛止部はｘ軸方向及びｙ軸方向に関するコアの中心に関して点対称となる位置及び形状に形成されている。このような構成によると、コアの方向を気にすることなく、導線を巻回することができる。また、図５（ａ）の例では、掛止部１０７、１０８が対角線上の２箇所のみに設けられる構成となっているため、不要な掛止部が存在せず、導線を巻回しやすい。
【００４２】
図６（ａ）、（ｂ）には、掛止部の別の形状を示す変形例が示されている。図６（ａ）に示される掛止部４０９は凸部４１０を備えている。凸部４１０は、掛止部４０９に掛止された導線に当接することにより導線が巻芯部３の方向へずれることを防止可能である。また、図６（ｂ）に示される掛止部５０９は軸心に対して斜めに、かつ、巻芯部３に近い方が突出するような形状に形成されている。その先端部は凸部５１０として機能する。かかる構成によっても、導線が巻芯部３の方向へずれることを防止することが可能である。図６（ａ）、（ｂ）に示される構成によると、簡単な構造により確実に導線を掛止することができる。また凸部４１０又は５１０が４箇所に形成される場合、それぞれの凸部が巻回部の巻回位置を規制し、巻崩れを防止することができる。
【００４３】
上述した実施の形態では、第一導線１１と第二導線１２とは、（被覆どうしが）密着した状態で巻芯部３に巻回される。しかし、第一導線１１と第二導線１２とは、一定の間隔を維持した離間状態で、巻芯部３に巻回されていてもよい。かかる構成によっても、ライン間結合を高めてディファレンシャルモードのインダクタンスをより低下させることが可能である。
【００４４】
上述した実施の形態では、凹部３ａ、３ｂを形成する第一側面３３、第二側面３４は平坦な面（平面）として形成されている。しかし、凹部の形状はこれに限定されるものではない。例えば、導線の位置決めを行うための突起等が第一側面３３、第二側面３４に設けられていてもよい。
【００４５】
上述した実施の形態では、ｚ軸方向における第一鍔部４及び第二鍔部５の中心に対して、巻芯部３の軸心Ａが上方（＋ｚ方向）にずれた構造となっている（スタンドオフ構造）が、ずれていなくてもよい。すなわち、ｚ軸方向における第一鍔部４及び第二鍔部５の中心が、巻芯部３の軸心Ａと一致していてもよい。或いは、実施の形態の構造と反対側、すなわちｚ軸方向における第一鍔部４及び第二鍔部５の中心に対して、巻芯部３の軸心Ａが実装面側（−ｚ方向）にずれていてもよい。
【００４６】
上述した実施の形態では、第一導線１１、第二導線１２の端部が第一電極１８Ａ〜第四電極１９Ｂに継線されている。しかし、コモンモードチョークコイル１の部品単体の状態では、導線は電極に継線されていなくてもよい。この場合、コモンモードチョークコイル１が基板等に組みつけられる際に、第一導線１１、第二導線１２の端部が第一電極１８Ａ〜第四電極１９Ｂと一緒に基板側の電極と接合される。
【図面の簡単な説明】
【００４７】
【図１】本発明の実施の形態によるコモンモードチョークコイルを示す斜視図。
【図２】本発明の実施の形態によるコモンモードチョークコイルを示す底面図。
【図３】本発明の実施の形態によるコモンモードチョークコイルを示す上面図。
【図４】本発明の実施の形態によるコモンモードチョークコイルを示す側面図。
【図５】図中の（ａ）、（ｂ）、及び（ｃ）はそれぞれ変形例によるコモンモードチョークコイルを上面から見た概略図。
【図６】図中の（ａ）及び（ｂ）はそれぞれ変形例による掛止部の構造を示す部分概略図。
【符号の説明】
【００４８】
１・・・コモンモードチョークコイル、    ２・・・コア、    ３・・・巻芯部、      ３ａ・・・凹部、    ３ｂ・・・凹部、    ３ｃ・・・上部凹部、    ３ｄ・・・底部凹部、    ４・・・第一鍔部、    ４Ａ・・・基部、    ４Ｂ・・・脚部、    ４Ｃ・・・脚部、    ４Ｄ・・・肩部、    ５・・・第二鍔部、    ５Ａ・・・基部、    ５Ｂ・・・脚部、    ５Ｃ・・・脚部、    ５Ｄ・・・肩部、    ６・・・第一掛止部、    ６Ａ・・・角部、    ７・・・第二掛止部、    ７Ａ・・・角部、    ８・・・第三掛止部、    ８Ａ・・・角部、    ９・・・第四掛止部、    ９Ａ・・・角部、    １０・・・板コア、    １１・・・第一導線、    １１Ａ・・・一端、    １１Ｂ・・・他端、    １２・・・第二導線、    １２Ａ・・・一端、    １２Ｂ・・・他端、    １８・・・一対の第一電極部、    １８Ａ・・・第一電極、    １８Ｂ・・・第二電極、    １９・・・一対の第二電極部、    １９Ａ・・・第三電極、    １９Ｂ・・・第四電極、    ３１・・・下面、    ３２・・・上面、    ３３・・・第一側面、    ３３Ａ・・・角部、    ３３Ｂ・・・角部、    ３４・・・第二側面、    ３４Ａ・・・角部、    ３４Ｂ・・・角部、    ４１・・・正面、    ４２・・・上面、    ４３・・・第一側面、    ４４・・・第二側面、    ４５・・・底面、    ４５ａ・・・傾斜部、    ４６・・・底面、    ５１・・・正面、    ５２・・・上面、    ５３・・・第一側面、    ５４・・・第二側面、    ５５・・・底面、    ５６・・・底面、    ５６ａ・・・傾斜部、    ６１、７１、８１、９１・・・凹部規定面、    １０２・・・コア、    １０３ａ、１０３ｂ・・・凹部、    １０７・・・掛止部、    ２０２・・・コア、    ２０３ａ、２０３ｂ・・・凹部、    ２０６・・・掛止部、    ２０７・・・掛止部、    ３０２・・・コア、    ３０７・・・掛止部、    ４０９・・・掛止部、    ４１０・・・凸部、    ５０９・・・掛止部、    ５１０・・・凸部。
【図１】
2008066570.tif 000003
【図２】
2008066570.tif 000004
【図３】
2008066570.tif 000005
【図４】
2008066570.tif 000006
【図５】
2008066570.tif 000007
【図６】
2008066570.tif 000008